(57)【特許請求の範囲】
【請求項１】
バーコード読取装置で読み取った呼出情報に基づいて商品情報を呼び出し、該商品情報の少なくとも一部を表示手段に表示させると共にプリンタに印字させる商品処理装置において、
前記バーコード読取装置で読み取る情報のうちの呼出情報の内訳と当該内訳を表示する桁数である表示桁とを記憶するバーコード体系記憶部を書き換え可能なメモリで構成すると共に、前記内訳および表示桁を入力手段によって設定することで、前記バーコード体系記憶部の内訳および表示桁を設定登録できるようにしたことを特徴とする商品処理装置。
【請求項２】
商品に関する商品情報を呼び出すための呼出情報ごとに商品情報を記憶する商品情報記憶部と、
前記呼出情報を含むバーコードを読み取ってコード化するバーコード読取装置と、
前記コード化された情報のうちの前記呼出情報に基づいて前記商品情報記憶部から読み出された商品情報の少なくとも一部を表示する表示手段と、
読み出された商品情報の少なくとも一部を印字するプリンタとを備えた商品処理システムにおいて、
前記バーコード読取装置でコード化する情報のうちの呼出情報の内訳と当該内訳を表示する桁数である表示桁とを記憶するバーコード体系記憶部を書き換え可能とし、
呼出情報の内訳と当該内訳の表示桁とを表示手段に表示させながら、該内訳および表示桁を入力手段によって設定することで、前記バーコード体系記憶部の内訳および表示桁を設定登録できるようにしたことを特徴とする商品処理システム。
【発明の詳細な説明】
【０００１】
【発明の属する技術分野】
本発明はバーコード読取装置およびプリンタを備えた商品処理装置に関するものである。
【０００２】
【従来の技術】
従来より、商品処理装置の一種として、商品の計量から値付までを自動的に行う計量値付システムが知られている。この種のシステムの一例を実施形態を示す図４を用いて説明すると、ストレッチ包装機１の下流には、金属検出装置８０、計量コンベヤ２およびラベル貼付機３が設けられている。該ラベル貼付機３は、ラベルプリンタ（図示せず）から発行された図５のラベルＬを包装済の商品におけるフィルムの表面に貼付する。前記ラベルＬには、商品の品名や単価などの商品情報が印字されている。
【０００３】
ところで、この種の商品処理装置においては、商品の計量値付を行う前に、図６（ａ）の出荷リストＬｆのバーコードＢ１をバーコードリーダで読み取って、当該商品の商品情報を呼び出すための呼出情報を制御装置に入力する。すなわち、前記出荷リストＬｆのバーコードＢ１には、商品コードが含まれており、該商品コードに従って図７の商品マスタファイル４０を検索することで、前記ラベルプリンタが印字すべき商品情報が得られるようになっている。
【０００４】
【発明が解決しようとする課題】
しかし、図６（ａ）の出荷リストＬｆに印字されているバーコードＢ１には、前記商品コードの他に、配送日を示す生産区分（以下、「生区」という）および便名（第１便，第２便など）などが含まれている場合があり、しかも、かかる情報の並び（表示桁）や内容（内訳）は、つまりバーコード体系は、図６（ｂ），（ｃ）に示すように、各パックセンターによって異なる。これに対し、計量値付システムのメーカーは、受注の度ごとに当該パックセンターのバーコード体系に合わせてプログラムを作成することで、バーコード体系の相違に対処してきた。しかし、かかる対処法では、ユーザーごとにソフトの開発が必要になるので、納期が長くなると共に、コストアップの要因となる。
【０００５】
したがって、本発明は、商品処理装置を操作することでユーザーごとのバーコード体系に対応できるようにして、納期の短縮と低コスト化を図ることを目的とする。
【０００６】
【課題を解決するための手段】
前記目的を達成するために、本発明は、バーコード読取装置で読み取った呼出情報に基づいて商品情報を呼び出し、該商品情報の少なくとも一部を表示手段に表示させると共にプリンタに印字させる商品処理装置において、前記バーコード読取装置で読み取る情報のうちの呼出情報の内訳と当該内訳を表示する桁数である表示桁とを記憶するバーコード体系記憶部を書き換え可能なメモリで構成すると共に、前記内訳および表示桁を入力手段によって設定することで、前記バーコード体系記憶部の内訳および表示桁を設定登録できるようにしたことを特徴とする。
【０００７】
本発明の「商品情報」には、品名、単価、有効期間などのように商品自体の個性によって決まる情報の他に、当該商品の配送先（店No. ）や配送数（数量）などのように商品の配送に関わる情報が含まれる場合もある。なお、前記商品情報のうちの一部を呼び出すものであれば本発明に含まれる。また、「呼出情報」とは、商品に関する前記商品情報を呼び出すための情報であって、商品情報の１以上を記憶部から読み出すことのできるキーとなる情報をいう。
【０００８】
本発明によれば、バーコード読取装置で読み取る情報のうちの呼出情報の内訳と当該内訳の表示桁とを入力手段によって設定登録できるから、ユーザーごとにバーコード体系が異なっていても、各バーコード体系に応じた設定を行うことで対処することができる。
【０００９】
【発明の実施の形態】
以下、本発明の一実施形態を図面にしたがって説明する。
図１は本商品処理装置の概略構成を示す。
この図において、計量コンベヤ２およびラベル貼付機３は、図示しない各ローカル制御装置を介して計量値付主制御装置５によって制御されている。該計量値付主制御装置５は、タッチスクリーン６、ストロークキー部７およびマイコン（マイクロコンピュータ）５０を備えている。
【００１０】
図４の計量コンベヤ２は、ストレッチ包装機１で包装された商品ＭをトレーＴごとベルトコンベヤ２０で搬送しながら計量するもので、図１の重量検出器２１が測定信号を計量手段２２に出力する。該計量手段２２は前記測定信号から振動成分を除去した重量をマイコン５０に出力する。
【００１１】
ラベル貼付機３は、ラベルプリンタ３０によって印字されたラベルＬ（図５）を吸着して、図４の貼付用コンベヤ３３上を搬送される商品Ｍにラベルを貼付する。なお、ラベルプリンタ３０（図１）はラベル貼付機３に一体的に隣接して配設されており、図５のような商品の品名や単価などの商品情報をラベルに印字して発行する。
【００１２】
図１の前記マイコン５０はＣＰＵ５１、ＲＡＭ５２およびＲＯＭ５３を備えており、ホストコンピュータ（電子計算機）４にインタフェースを介して接続されている。
前記ホストコンピュータ４には、図示しない外部記憶装置（ハードディスク）内に、商品マスタファイル（商品情報記憶部）４０および出荷内容ファイル４１が設けてある。前記商品マスタファイル４０は、図７に示すように、商品コード（呼出情報）ごとに、品名，単価，風袋重量，トレーNo. および有効期間などの商品情報を記憶する領域である。一方、前記出荷内容ファイル４１は、図８に示すように、生産区分（出荷日）Ｄおよび便ごとに（配送便ごとに）区分けされており、区分けされた各出荷内容ファイル（商品情報記憶部）４１には、図８（ａ），（ｂ）に示すように、商品コードごとに品名，総数，店No. （出荷先）および数量が記憶されている。
【００１３】
図１の前記計量値付主制御装置５のマイコン５０には、インタフェイスなどを介してバーコード読取装置８が接続されている。
前記バーコード読取装置８は、図６の出荷リストＬｆのバーコードＢ１を読み取って（英）数字化したコード情報をマイコン５０（図１）に出力するものである。前記バーコードＢ１には、商品コードの他に、製造日を示す生産区分や、配送便の種別（第１便，第２便など）およびチェックデジットが含まれている。
【００１４】
図１の前記ＲＡＭ（書き換え可能なメモリ）５２には、バーコード体系記憶部５２ａが設けてある。該バーコード体系記憶部５２ａは、図２に示すように、バーコードの桁数の他に生区開始桁，便開始桁，商品コード開始桁およびチェックデジット開始桁を各々記憶する。前記バーコード桁数とは、バーコード読取装置８が読み取る対象のバーコードの総桁数をいう。また、開始桁とは、情報が表示されている先頭（左端）の桁数をいい、たとえば６桁で表示される商品コード開始桁が「０９」である場合は、第９桁目〜第４桁目に商品コードが表示されていることを意味する。
【００１５】
前記タッチスクリーン６は、ラベルＬに印字される商品情報や操作ボタンを表示する手段で、たとえば液晶表示装置のようなディスプレイ画面に種々の情報およびメニューを表示すると共に、該表示の一部を指で触れることによって入力を行う装置である。
【００１６】
図３（ａ），（ｂ）はタッチスクリーン６の画面を示す。
図３（ａ）はバーコード体系設定モード画面６ａを示し、一方、図３（ｂ）は通常使用モード画面６ｂを示す。図３（ａ）の前記バーコード体系設定モード画面６ａには、前記バーコード体系記憶部５２ａの記憶内容に対応させて、「バーコード桁数」，「生区開始桁」，「便開始桁」，「商品コード開始桁」および「チェックデジット開始桁」の文字が表示されたボタン６０〜６４が設けられており、前記「生区」，「便」および「商品コード」は呼出情報の内訳を示している。一方、各ボタン６０〜６４の下欄には、開始桁の桁数が表示されていることで、前記呼出情報の内訳の表示桁が間接的に表示されている。なお、図３（ｂ）の通常使用モード画面６ｂには、品名や単価などの商品情報が表示されている。その他の構成は、前記従来技術において説明したと同様の構成であり、したがって、その説明を省略する。
【００１７】
つぎに、本商品処理システムのオペレーションについて説明する。
バーコード体系設定モードについて説明する。
オペレータは、まず、タッチスクリーン６（図１）を操作して、バーコード体系設定モード画面６ａを表示させる。ついで、当パックセンターで用いる図６の出荷リストＬｆにおけるバーコードＢ１の体系に合わせたバーコード体系の設定を行う。すなわち、バーコードＢ１の桁数をストロークキー部７（図１）を押下して置数した後、図３（ａ）のボタン６０をタッチして「バーコード桁数」を入力する。つづいて、バーコードＢ１（図６（ａ））における生産区分の開始桁を置数した後、ボタン６１にタッチして「生区開始桁」を入力する。同様にして、バーコードＢ１（図６（ａ））における「便」、「商品コード」および「チェックデジット」の開始桁を入力する。入力された桁数は、図２のバーコード体系記憶部５２ａに記憶される。なお、バーコードＢ１に含まれていない項目については「０」を置数する。このように、本設定モードでは、「生区」，「便」および「商品コード」からなる呼出情報の内訳と、当該内訳の表示桁とを図１のタッチスクリーン６およびストロークキー部７からなる入力手段によって設定することで、バーコード体系記憶部５２ａの内訳および表示桁を設定登録することができる。
【００１８】
すなわち、本計量値付装置では、バーコード体系記憶部５２ａを書き換え可能なメモリであるＲＡＭ５２に設けたので、該バーコード体系記憶部５２ａの記憶内容を書き換えることにより、ユーザーごとのバーコード体系に応じた設定を行うことができる。したがって、計量値付装置を提供するメーカーは、納期の短縮とコストダウンを図ることができる。
【００１９】
つぎに、使用モードについて説明する。
オペレータは、計量・値付される商品に応じて、当該商品の商品情報等を呼び出すために、まず、図６（ａ）の出荷リストＬｆのバーコードＢ１を図１のバーコード読取装置８によって読み取らせる。バーコード読取装置８はバーコードＢ１を読み取ると、数字化されたバーコード情報をマイコン５０に出力する。マイコン５０のＣＰＵ５１は、バーコード情報をバーコード体系記憶部５２ａに記憶されたバーコード体系に従った呼出情報としてホストコンピュータ４に出力する。すなわち、前記図３（ａ）のように設定されている場合は、１２桁目および１１桁目の数字を「生産区分」とし、１０桁目の数字を「便」名とし、９桁目〜４桁目の数字を「商品コード」とし、これらの呼出情報をホストコンピュータ４に出力する。
【００２０】
一方、前記ホストコンピュータ４は前記呼出情報に従って、図７の商品マスタファイル４０を検索して、商品コードに対応する品名、単価などの商品情報を読み出すと共に、図８の出荷内容ファイル４１を検索して、生区Ｄ、便名、商品コードに対応する「総数」や「店No. 」などの出荷情報を読み出す。これらの読み出された出荷情報を含む商品情報は、図１のマイコン５０に出力されて、タッチスクリーン６の図３（ｂ）の通常使用モード画面６ｂに表示される。その後、図４の商品Ｍが計量されると、該計量値に基づいてラベルプリンタ３０（図１）でラベルＬが印字されて、該ラベルＬがラベル貼付機３によって商品Ｍのフィルム上に貼付される。
【００２１】
なお、前記実施形態では、入力手段として図１のタッチスクリーン６およびストロークキー部７を用いたが、表示手段を通常の液晶表示器などとして、ストロークキー部７のみで入力手段を構成してもよい。また、前記実施形態では、計量コンベヤ２を有する計量値付装置を例にとって説明したが、本発明は計量コンベヤ２を有していないラベル貼付装置にも適用できる。さらに、前記実施形態では、図１の商品マスタファイル４０および出荷内容ファイル４１をホストコンピュータ４が記憶する商品処理システムを例にとって説明したが、商品マスタファイル４０および出荷内容ファイル４１は計量値付主制御装置５に記憶させてもよい。また、本発明は、バーコード読取装置とレシートを発行するプリンタを有するキャッシュレジスタなどの商品処理装置についても適用される。
【００２２】
【発明の効果】
以上説明したように、本発明によれば、バーコード読取装置で読み取る情報のうちの呼出情報の内訳と当該内訳の表示桁とを入力手段によって設定登録できるから、ユーザーごとにバーコード体系が異なっていても、バーコード体系に応じた設定を行うことで対処することができる。したがって、商品処理装置のメーカーは、異なるバーコード体系ごとにプログラムを作成する必要がないから、納期の短縮とコストダウンを図ることができる。
【図面の簡単な説明】
【図１】本商品処理システムの一実施形態を示す概略構成図である。
【図２】バーコード体系記憶部の構造を示す図表である。
【図３】タッチスクリーンの画面を示す正面図である。
【図４】包装計量値付装置を示す概略斜視図である。
【図５】ラベルを示す平面図である。
【図６】出荷リストの一例を示す概念図およびバーコード体系の例を示す概念図である。
【図７】商品マスタファイルの記憶内容を示す図表である。
【図８】出荷内容ファイルの記憶内容を示す図表である。
【符号の説明】
３０：ラベルプリンタ
６：タッチスクリーン（表示手段，入力手段）
７：ストロークキー部（入力手段）
８：バーコード読取装置
５２：ＲＡＭ
５２ａ：バーコード体系記憶部
【図１】
0004067620.tif 000002
【図２】
0004067620.tif 000003
【図３】
0004067620.tif 000004
【図４】
0004067620.tif 000005
【図５】
0004067620.tif 000006
【図６】
0004067620.tif 000007
【図７】
0004067620.tif 000008
【図８】
0004067620.tif 000009